(57)【要約】【課題】ユーザに対して、暗証番号が記載されている取扱媒体の利用を停止させて、当該取扱媒体の取得者による不正利用を防止する。【解決手段】取扱媒体判別システム１０では、自動取引装置２０は、取引処理にて取り扱われる取扱媒体Ａを受け付けて、取扱媒体Ａの主面の画像を取得し、取扱媒体Ａに対応付けられた暗証番号を受け付けて、取扱媒体Ａの主面の規定のデザインを表すデザイン情報Ｂと取得した取扱媒体Ａの画像とに基づき、取扱媒体Ａの主面に加筆された記載事項Ｃを認識するようにした。さらに、情報処理装置３０は、暗証番号と取扱媒体Ａの記載事項Ｃとを自動取引装置２０から受信して、暗証番号に基づき利用者を認証すると、暗証番号と記載事項Ｃとの合致を判定するようにした。さらに、情報処理装置３０は、判定結果に応じて、自動取引装置２０に取扱媒体Ａの利用中止の案内を出力させて、取引処理を終了させる。【選択図】図１
2014109820.tif 000002
【特許請求の範囲】
【請求項１】
取引処理にて取り扱われる取扱媒体を受け付けて、前記取扱媒体の主面の画像を取得する画像取得部と、前記取扱媒体に対応付けられた暗証番号を受け付ける暗証番号受付部と、取得した前記画像と前記取扱媒体の主面の規定のデザインを表すデザイン情報とに基づき、前記取扱媒体の主面に加筆された記載事項を認識する認識処理部と、任意の案内を出力する案内出力部と、を有し、前記取引処理を実行する自動取引装置と、
前記暗証番号と前記取扱媒体の前記記載事項とを前記自動取引装置から受信して、前記暗証番号に基づき前記取扱媒体を認証すると、前記暗証番号と前記記載事項との合致を判定する記載事項判定部と、前記記載事項判定部の判定結果に応じて、前記自動取引装置の前記案内出力部に前記取扱媒体の利用中止の案内を出力させる出力要求部と、を有する情報処理装置と、
を備えることを特徴とする取扱媒体判別システム。
【請求項２】
前記自動取引装置は、前記取扱媒体に対応付けられた前記取扱媒体を識別する識別情報を取得して、取得した前記識別情報を前記情報処理装置に通知する識別情報取得部をさらに有し、
前記情報処理装置は、前記取扱媒体の前記識別情報を対応付けた、前記取扱媒体ごとの前記デザイン情報を保持するデザイン情報保持部と、前記自動取引装置から前記識別情報を受信すると、前記デザイン情報保持部を参照して前記識別情報に対応する前記デザイン情報を照会し、照会した前記デザイン情報を前記自動取引装置に通知して、前記認識処理部に前記記載事項を認識させるデザイン情報照会部とをさらに有する、
ことを特徴とする請求項１記載の取扱媒体判別システム。
【請求項３】
前記認識処理部は、取得した前記画像と前記取扱媒体の主面の規定のデザインを表す前記デザイン情報との差分に基づき、前記記載事項を認識する、
ことを特徴とする請求項１記載の取扱媒体判別システム。
【請求項４】
自動取引装置は、取引処理にて取り扱われる取扱媒体を受け付けて、前記取扱媒体の主面の画像を取得して、前記取扱媒体に対応付けられた暗証番号を受け付けて、取得した前記画像と前記取扱媒体の主面の規定のデザインを表すデザイン情報とに基づき、前記取扱媒体の主面に加筆された記載事項を認識し、
情報処理装置は、前記暗証番号と前記取扱媒体の前記記載事項とを前記自動取引装置から受信して、前記暗証番号に基づき前記取扱媒体を認証すると、前記暗証番号と前記記載事項との合致を判定した判定結果に応じて、前記自動取引装置の任意の案内を出力する案内出力部に前記取扱媒体の利用中止の案内を出力させる、
ことを特徴とする取扱媒体判別方法。
【請求項５】
情報処理装置と通信可能に接続され、取引処理にて取り扱われる取扱媒体を受け付けて、前記取引処理を実行する自動取引装置において、
受け付けた前記取扱媒体の主面の画像を取得する画像取得部と、
前記取扱媒体に対応付けられた暗証番号を受け付ける暗証番号受付部と、
取得した前記画像と前記取扱媒体の主面の規定のデザインを表すデザイン情報とに基づき、前記取扱媒体の主面に加筆された記載事項を認識する認識処理部と、
前記情報処理装置により前記暗証番号に基づき前記取扱媒体が認証され、前記暗証番号と前記記載事項との合致が判定された判定結果に応じて、前記取扱媒体の利用中止の案内を出力する案内出力部と、
を有することを特徴とする自動取引装置。
【請求項６】
取引処理にて取り扱われる取扱媒体を受け付けて、前記取扱媒体の主面の画像を取得する画像取得部と、前記取扱媒体に対応付けられた暗証番号を受け付ける暗証番号受付部と、任意の案内を出力する案内出力部と、を有し、前記取引処理を実行する自動取引装置と、
前記取扱媒体の主面の前記画像を前記自動取引装置から受信して、前記取扱媒体の主面の前記画像と前記取扱媒体の主面の規定のデザインを表すデザイン情報とに基づき、前記取扱媒体の主面に加筆された記載事項を認識する認識処理部と、前記暗証番号を前記自動取引装置から受信して、前記暗証番号に基づき前記取扱媒体を認証すると、前記暗証番号と前記記載事項との合致を判定する記載事項判定部と、前記記載事項判定部の判定結果に応じて、前記自動取引装置の前記案内出力部に前記取扱媒体の利用中止の案内を出力させる出力要求部と、を有する情報処理装置と、
を備えることを特徴とする取扱媒体判別システム。
【請求項７】
前記自動取引装置は、前記取扱媒体に対応付けられた前記取扱媒体を識別する識別情報を取得して、取得した前記識別情報を前記情報処理装置に通知する識別情報取得部をさらに有し、
前記情報処理装置は、前記取扱媒体の前記識別情報を対応付けた、前記取扱媒体ごとの規定のデザインを表すデザイン情報を保持するデザイン情報保持部と、前記自動取引装置から前記識別情報を受信して、前記デザイン情報保持部を参照して前記識別情報に対応する前記デザイン情報を照会し、照会した前記デザイン情報を前記自動取引装置に通知して、前記認識処理部に前記記載事項を認識させるデザイン情報照会部とをさらに有する、
ことを特徴とする請求項６記載の取扱媒体判別システム。
【請求項８】
前記認識処理部は、取得した前記画像と前記取扱媒体の主面の規定のデザインを表す前記デザイン情報との差分に基づき、前記記載事項を認識する、
ことを特徴とする請求項６記載の取扱媒体判別システム。
【請求項９】
自動取引装置は、取引処理にて取り扱われる取扱媒体を受け付けて、前記取扱媒体の主面の画像を取得して、前記取扱媒体に対応付けられた暗証番号を受け付けて、
情報処理装置は、前記取扱媒体の主面の前記画像を前記自動取引装置から受信して、前記取扱媒体の主面の前記画像と前記取扱媒体の主面の規定のデザインを表すデザイン情報とに基づき、前記取扱媒体の主面に加筆された記載事項を認識して、前記暗証番号を前記自動取引装置から受信して、前記暗証番号に基づき前記取扱媒体を認証すると、前記暗証番号と前記記載事項との合致を判定した判定結果に応じて、前記自動取引装置の任意の案内を出力する案内出力部に前記取扱媒体の利用中止の案内を出力させる、
ことを特徴とする取扱媒体判別方法。
【請求項１０】
情報処理装置と通信可能に接続され、取引処理にて取り扱われる取扱媒体を受け付けて、前記取引処理を実行する自動取引装置において、
受け付けた前記取扱媒体の主面の画像を取得する画像取得部と、
前記取扱媒体に対応付けられた暗証番号を受け付ける暗証番号受付部と、
前記情報処理装置により、前記取扱媒体の主面の前記画像と前記取扱媒体の主面の規定のデザインを表すデザイン情報とに基づき、前記取扱媒体の主面に加筆された記載事項が認識されて、前記暗証番号に基づき前記取扱媒体が認証され、前記暗証番号と前記記載事項との合致が判定された判定結果に応じて、前記取扱媒体の利用中止の案内を出力する案内出力部と、
を有することを特徴とする自動取引装置。
【発明の詳細な説明】
【技術分野】
【０００１】
取扱媒体判別システム、取扱媒体判別方法及び自動取引装置に関する。
【背景技術】
【０００２】
自動取引装置（ＡＴＭ（Automated Teller Machine））は、現在、金融機関だけでなく、コンビニエンスストア、駅構内等の様々な場所に設置されている。このような自動取引装置は、ユーザから、振り込み、支払い等の取引処理にて利用されるキャッシュカード等の取扱媒体と共に暗証番号を受け付けると、ホストコンピュータに対して暗証番号の認証要求を通知する。ホストコンピュータは、当該要求に応じて、通知された暗証番号を適切に認証すると、自動取引装置は、ユーザから指定された取引処理を実行することができる（例えば、特許文献１参照）。
【先行技術文献】
【特許文献】
【０００３】
【特許文献１】特開２０１２−０７３８６８号公報
【発明の概要】
【発明が解決しようとする課題】
【０００４】
ところで、ユーザによっては、暗証番号を失念した場合等に備えて、当該暗証番号をキャッシュカードに直接記載する者がいる。この場合、暗証番号が記載されたキャッシュカードを紛失してしまうと、当該キャッシュカードの取得者にそのまま不正に利用されてしまう恐れがあるという問題点があった。
【０００５】
本発明は、このような点に鑑みて、取引処理にて取り扱われる取扱媒体に暗証番号が記載されているか否かを判別することができる取扱媒体判別システム、取扱媒体判別方法及び自動取引装置を提供することを目的とする。
【課題を解決するための手段】
【０００６】
上記課題を解決するために、取引処理にて取り扱われる取扱媒体を受け付けて、前記取扱媒体の主面の画像を取得する画像取得部と、前記取扱媒体に対応付けられた暗証番号を受け付ける暗証番号受付部と、取得した前記画像と前記取扱媒体の主面の規定のデザインを表すデザイン情報とに基づき、前記取扱媒体の主面に加筆された記載事項を認識する認識処理部と、任意の案内を出力する案内出力部と、を有し、前記取引処理を実行する自動取引装置と、前記暗証番号と前記取扱媒体の前記記載事項とを前記自動取引装置から受信して、前記暗証番号に基づき前記取扱媒体を認証すると、前記暗証番号と前記記載事項との合致を判定する記載事項判定部と、前記記載事項判定部の判定結果に応じて、前記自動取引装置の前記案内出力部に前記取扱媒体の利用中止の案内を出力させる出力要求部と、を有する情報処理装置と、を備える取扱媒体判別システムが提供される。
【０００７】
また、上記課題を解決するために、取引処理にて取り扱われる取扱媒体を受け付けて、前記取扱媒体の主面の画像を取得する画像取得部と、前記取扱媒体に対応付けられた暗証番号を受け付ける暗証番号受付部と、任意の案内を出力する案内出力部と、を有し、前記取引処理を実行する自動取引装置と、前記取扱媒体の主面の前記画像を前記自動取引装置から受信して、前記取扱媒体の主面の前記画像と前記取扱媒体の主面の規定のデザインを表すデザイン情報とに基づき、前記取扱媒体の主面に加筆された記載事項を認識する認識処理部と、前記暗証番号を前記自動取引装置から受信して、前記暗証番号に基づき前記取扱媒体を認証すると、前記暗証番号と前記記載事項との合致を判定する記載事項判定部と、前記記載事項判定部の判定結果に応じて、前記自動取引装置の前記案内出力部に前記取扱媒体の利用中止の案内を出力させる出力要求部と、を有する情報処理装置と、を備える取扱媒体判別システムが提供される。
【０００８】
上記課題を解決するために、上記の取扱媒体判別システムでそれぞれ実行される取扱媒体判別方法と、上記取扱媒体判別システムがそれぞれ備える自動取引装置とが提供される。
【発明の効果】
【０００９】
このような取扱媒体判別システム、取扱媒体判別方法及び自動取引装置では、ユーザに対して、暗証番号が記載されている取扱媒体の利用を停止させて、当該取扱媒体の取得者による不正利用を防止することができる。
【図面の簡単な説明】
【００１０】
【図１】第１の実施の形態に係る取扱媒体判別システムの概略図である。
【図２】第１の実施の形態に係る別の取扱媒体判別システムの概略図である。
【図３】第２の実施の形態に係る自動取引システムを説明するための図である。
【図４】第２の実施の形態に係る自動取引システムのＡＴＭのハードウェア構成を示す図である。
【図５】第２の実施の形態に係る自動取引システムのＡＴＭが備えるカード処理ユニットの構成例を示す図である。
【図６】第２の実施の形態に係る自動取引システムのホストコンピュータのハードウェア構成を示す図である。
【図７】第２の実施の形態に係る自動取引システムのＡＴＭ及びホストコンピュータが備える機能を示すブロック図である。
【図８】第２の実施の形態に係る自動取引システムのホストコンピュータが備えるデザイン情報保持部の一例を示す図である。
【図９】第２の実施の形態に係る自動取引システムで実行される取引カード判別処理を示すフローチャートである。
【図１０】第２の実施の形態に係る自動取引システムのＡＴＭが表示する取引カードの利用中止案内の表示例を示す図である。
【図１１】第２の実施の形態に係る自動取引システムのＡＴＭで実行されるメモ書き認識処理及びホストコンピュータで実行される照会処理を示すフローチャートである。
【図１２】第３の実施の形態に係る自動取引システムのＡＴＭ及びホストコンピュータが備える機能を示すブロック図である。
【図１３】第３の実施の形態に係る自動取引システムで実行される取引カード判別処理を示すフローチャートである。
【図１４】第３の実施の形態に係る自動取引システムのホストコンピュータで実行されるメモ書き認識処理を示すフローチャートである。
【発明を実施するための形態】
【００１１】
以下、実施の形態について図面を参照して説明する。
［第１の実施の形態］
取扱媒体判別システムでは、取引処理にて取り扱われる取扱媒体に暗証番号が加筆されているか否かを判別して、判別結果に応じて、ユーザに当該取扱媒体の利用を中止させることができるものである。
【００１２】
このような取扱媒体判別システムについて、図１を用いて説明する。
図１は、第１の実施の形態に係る取扱媒体判別システムの概略図である。
なお、図１（Ａ）は、取扱媒体判別システム１０が備える機能を表す機能ブロック図、図１（Ｂ）は、取扱媒体判別システム１０で実行される取扱媒体判別処理のフローチャートをそれぞれ表している。
【００１３】
取扱媒体判別システム１０は、図１（Ａ）に示すように、相互に通信可能に接続された自動取引装置２０と情報処理装置３０とを備える。
自動取引装置２０は、振り込み、引き出し等の取引処理にて取り扱われる、キャッシュカード、通帳等の取扱媒体と共に操作入力をユーザから受け付けて、当該取引処理を実行する。このような自動取引装置２０は、画像取得部２１と、暗証番号受付部２２、認識処理部２３、案内出力部２４、識別情報取得部２５、通信部２６を備える。
【００１４】
画像取得部２１は、ユーザから受け付けた取扱媒体Ａの主面の画像を取得する。
画像取得部２１は、例えば、自動取引装置２０が備える取扱媒体Ａを受け付けるカード処理装置（図示を省略）に内蔵された撮像装置である。カード処理装置が取扱媒体Ａを受け付けると、撮像装置が当該取扱媒体Ａの主面の画像を撮像する。
【００１５】
暗証番号受付部２２は、受け付けた取扱媒体Ａに対応付けられた暗証番号を受け付ける。暗証番号受付部２２は、例えば、自動取引装置２０に設置されたタッチパネルであって、ユーザからタッチパネル（図示を省略）に対する操作入力により暗証番号を受け付ける。
【００１６】
認識処理部２３は、取扱媒体Ａの主面の規定のデザインを表すデザイン情報Ｂと画像取得部２１が取得した取扱媒体Ａの主面の画像とに基づき、取扱媒体Ａの主面に加筆された記載事項を認識する。なお、デザイン情報Ｂは、予め自動取引装置２０に備えさせることも、または、自動取引装置２０が情報処理装置３０から取得することも可能である。なお、本実施の形態では、デザイン情報Ｂは、情報処理装置３０から取得する場合を例に挙げている（後述）。
【００１７】
案内出力部２４は、任意の案内を出力する。案内出力部２４は、例えば、画像を表示するモニタと、音声を出力するスピーカとの少なくともいずれか一方であり、ユーザに画像及び音声の少なくともいずれかにより任意の案内を出力することができる。
【００１８】
識別情報取得部２５は、取扱媒体Ａに対応付けられた取扱媒体Ａを識別する識別情報を取得して、取得した識別情報を情報処理装置３０に通知する。識別情報は、例えば、既出の自動取引装置２０のカード処理装置に内蔵されている磁気ヘッド（または、ＩＣ（Integrated Circuit）リーダライタ）により、受け付けた取扱媒体Ａの磁気ストライプ（または、ＩＣチップ）から読み取られる。
【００１９】
通信部２６は、情報処理装置３０に対して情報の送信及び受信を行う。
一方、情報処理装置３０は、例えば、自動取引装置２０の取引処理、暗証番号の認証等の管理を行う、ホストコンピュータであって、通信部３１と、記載事項判定部３２、出力要求部３３、デザイン情報保持部３４、デザイン情報照会部３５を備える。
【００２０】
通信部３１は、自動取引装置２０に対して情報の送信及び受信を行う。
記載事項判定部３２は、暗証番号と取扱媒体Ａの記載事項とを自動取引装置２０から受信して、暗証番号に基づき取扱媒体Ａを適切に認証すると、暗証番号と記載事項との合致を判定する。
【００２１】
出力要求部３３は、記載事項判定部３２の判定結果に応じて、自動取引装置２０の案内出力部２４に取扱媒体Ａの利用中止の案内を出力させる。
デザイン情報保持部３４は、取扱媒体Ａの識別情報を対応付けた、取扱媒体Ａごとの規定のデザインを表すデザイン情報Ｂを保持する。
【００２２】
デザイン情報照会部３５は、自動取引装置２０から識別情報を受信すると、デザイン情報保持部３４を参照して識別情報に対応するデザイン情報を照会し、照会したデザイン情報を自動取引装置２０に通知して、認識処理部２３に記載事項を認識させる。
【００２３】
なお、少なくとも自動取引装置２０の認識処理部２３及び識別情報取得部２５、並びに、情報処理装置３０の記載事項判定部３２と、出力要求部３３、デザイン情報照会部３５は、自動取引装置２０及び情報処理装置３０が備える図示しないＣＰＵ（Central Processing Unit）によって取扱媒体判別プログラムが実行されることにより、その処理機能が実現される。
【００２４】
次に、このような構成を有する取扱媒体判別システム１０における取扱媒体判別方法について、図１（Ｂ）を用いて説明する。
ユーザは、自身の取扱媒体Ａに、当該取扱媒体Ａに対応付けられた暗証番号（例えば、「１２３４」）を加筆しているものとする。
【００２５】
自動取引装置２０において、このような取扱媒体Ａをユーザから受け付けると、画像取得部２１が当該取扱媒体Ａの主面の画像を、識別情報取得部２５が当該取扱媒体Ａの識別情報をそれぞれ取得する（ステップＳ１１）。識別情報取得部２５は、情報処理装置３０に対して、取得した取扱媒体Ａの識別情報を通信部２６に送信させる（ステップＳ１２）。
【００２６】
情報処理装置３０において、デザイン情報照会部３５は、デザイン情報保持部３４を参照して、通信部３１を介して受信した取扱媒体Ａの識別情報に対応するデザイン情報Ｂを照会する（ステップＳ１３）。デザイン情報照会部３５は、自動取引装置２０に対して、デザイン情報Ｂを通信部３１に送信させる（ステップＳ１４）。
【００２７】
自動取引装置２０では、認識処理部２３は、通信部２６を介して受信したデザイン情報Ｂと、画像取得部２１が取得した取扱媒体Ａの主面の画像とに基づき、取扱媒体Ａの主面に加筆された記載事項Ｃを認識する（ステップＳ１５）。例えば、認識処理部２３は、デザイン情報Ｂと、画像取得部２１が取得した取扱媒体Ａの主面の画像との差分の情報（差分情報）を取得し、当該差分情報に基づき取扱媒体Ａの主面に加筆された記載事項Ｃを認識する。
【００２８】
また、自動取引装置２０において、ユーザの操作入力により、暗証番号受付部２２が暗証番号（「１２３４」）を受け付ける（ステップＳ１６）。
認識処理部２３及び暗証番号受付部２２は、情報処理装置３０に対して、このようにして取得した記載事項Ｃ及び暗証番号（「１２３４」）を通信部２６に送信させる（ステップＳ１７）。
【００２９】
情報処理装置３０において、記載事項判定部３２は、通信部３１を介して受信した暗証番号に基づき取扱媒体Ａを適切に認証すると、通信部３１を介して受信した記載事項Ｃと暗証番号とが合致するか否かを判定する（ステップＳ１８）。図１（Ａ）の場合には、記載事項Ｃと暗証番号とは、それぞれ「１２３４」であるために、記載事項判定部３２は、記載事項Ｃと暗証番号とが合致することを判定する。
【００３０】
出力要求部３３は、このように記載事項Ｃが暗証番号と合致しているために、自動取引装置２０に対して、ユーザの当該取扱媒体Ａの利用中止案内の出力要求を通信部３１に送信させる（ステップＳ１９）。
【００３１】
自動取引装置２０において、案内出力部２４は、通信部２６を介して受信した出力要求に基づき、取扱媒体Ａの利用中止案内を、例えば、モニタに出力表示して、ユーザに当該取扱媒体Ａの利用を中止させ、取引処理を終了させる（ステップＳ２０）。
【００３２】
このように取扱媒体判別システム１０では、自動取引装置２０は、取引処理にて取り扱われる取扱媒体Ａを受け付けて、取扱媒体Ａの主面の画像を取得し、取扱媒体Ａに対応付けられた暗証番号を受け付けて、取扱媒体Ａの主面の規定のデザインを表すデザイン情報Ｂと取得した取扱媒体Ａの画像とに基づき、取扱媒体Ａの主面に加筆された記載事項Ｃを認識するようにした。また、情報処理装置３０は、暗証番号と取扱媒体Ａの記載事項Ｃとを自動取引装置２０から受信して、暗証番号に基づき取扱媒体Ａを適切に認証すると、暗証番号と記載事項Ｃとの合致を判定するようにした。さらに、情報処理装置３０は、判定結果に応じて、自動取引装置２０に取扱媒体Ａの利用中止案内を出力させて、取引処理を終了させるようにした。
【００３３】
このような取扱媒体判別システム１０による取扱媒体判別方法により、暗証番号を加筆した取扱媒体Ａの利用を中止させることで、紛失等した取扱媒体Ａの取得者による不正利用の発生を防止することができるようになる。
【００３４】
上記の取扱媒体判別システム１０では、認識処理を自動取引装置２０で行う場合について説明した。次に、認識処理を情報処理装置３０で行う場合について、図２を用いて説明する。
【００３５】
図２は、第１の実施の形態に係る別の取扱媒体判別システムの概略図である。
なお、図２（Ａ）は、別の取扱媒体判別システムが備える機能を表す機能ブロック図、図２（Ｂ）は、別の取扱媒体判別システムで実行される取扱媒体判別処理のフローチャートをそれぞれ表している。
【００３６】
取扱媒体判別システム１０ａは、図２（Ａ）に示すように、相互に通信可能に接続された自動取引装置２０ａと情報処理装置３０ａとを備える。但し、取扱媒体判別システム１０ａでは、図１における取扱媒体Ａの記載事項Ｃの認識処理を行う機能が、自動取引装置２０ａではなく、情報処理装置３０ａに認識処理部３６として備えられている。
【００３７】
認識処理部３６は、取扱媒体Ａの主面の画像を自動取引装置２０ａから受信して、取扱媒体Ａの主面の画像と取扱媒体の主面の規定のデザインを表すデザイン情報Ｂとに基づき、取扱媒体Ａの主面に加筆された記載事項Ｃを認識する。デザイン情報Ｂは、デザイン情報照会部３５により照会されたものである。
【００３８】
なお、その他の構成については、図１と同様であるためにそれらの詳細な説明については省略する。
次に、このような構成を有する取扱媒体判別システム１０ａにおける取扱媒体判別方法について、図２（Ｂ）を用いて説明する。なお、図１（Ｂ）と同様の処理には、図１（Ｂ）と同様のステップ番号を付している。
【００３９】
ユーザは、図２（Ｂ）の場合も、自身の取扱媒体Ａに、当該取扱媒体Ａに対応付けられた暗証番号（例えば、「１２３４」）を加筆しているものとする。
自動取引装置２０ａは、ユーザから取扱媒体Ａを受け付けると、画像取得部２１が当該取扱媒体Ａの主面の画像を、識別情報取得部２５が当該取扱媒体Ａの識別情報をそれぞれ取得する（ステップＳ１１）。識別情報取得部２５は、情報処理装置３０ａに対して、取得した取扱媒体Ａの主面の画像と共に取扱媒体Ａの識別情報を通信部２６に送信させる（ステップＳ２１）。
【００４０】
情報処理装置３０ａにおいて、デザイン情報照会部３５は、デザイン情報保持部３４を参照して、通信部３１を介して受信した取扱媒体Ａの識別情報に対応するデザイン情報Ｂを照会する（ステップＳ１３）。認識処理部３６は、自動取引装置２０ａから取得した取扱媒体Ａの主面の画像と、デザイン情報照会部３５が照会したデザイン情報Ｂとに基づき、取扱媒体Ａの主面に加筆された記載事項Ｃを認識する（ステップＳ２２）。認識処理部３６は、自動取引装置２０ａに対して、記載事項Ｃの認識完了通知を通信部３１から送信させる（ステップＳ２３）。
【００４１】
自動取引装置２０ａは、記載事項Ｃの認識完了通知を通信部２６を介して受信すると、ユーザの操作入力により、暗証番号受付部２２が暗証番号（「１２３４」）を受け付ける（ステップＳ１６）。
【００４２】
暗証番号受付部２２は、情報処理装置３０ａに対して、このようにして取得した暗証番号（「１２３４」）を通信部２６に送信させる（ステップＳ２４）。
情報処理装置３０ａにおいて、記載事項判定部３２は、通信部３１を介して受信した暗証番号に基づき取扱媒体Ａを適切に認証すると、認識処理部３６が認識した記載事項Ｃと暗証番号とが合致するか否かを判定する（ステップＳ１８）。図２（Ａ）の場合も、図１と同様に、記載事項Ｃと暗証番号とは、それぞれ「１２３４」であるために、記載事項判定部３２は、記載事項Ｃと暗証番号とが合致することを判定する。
【００４３】
以下、図１（Ｂ）のステップＳ１９，Ｓ２０と同様の処理が実行される。
このように取扱媒体判別システム１０ａでは、自動取引装置２０ａは、取引処理にて取り扱われる取扱媒体Ａを受け付けて、取扱媒体Ａの主面の画像を取得し、取扱媒体Ａに対応付けられた暗証番号を受け付けるようにした。また、情報処理装置３０ａは、取扱媒体Ａの主面の画像を自動取引装置２０ａから受信して、取扱媒体Ａの主面の画像と取扱媒体Ａの主面の規定のデザインを表すデザイン情報Ｂとに基づき、取扱媒体Ａの主面に加筆された記載事項Ｃを認識して、暗証番号を自動取引装置２０ａから受信して、暗証番号に基づき取扱媒体Ａを適切に認証すると、暗証番号と記載事項Ｃとの合致を判定するようにした。さらに、情報処理装置３０ａは、判定結果に応じて、自動取引装置２０ａに取扱媒体Ａの利用中止案内を出力させて、取引処理を終了させるようにした。
【００４４】
このような取扱媒体判別システム１０ａによる取扱媒体判別方法により、暗証番号を加筆した取扱媒体Ａの利用を中止させることで、紛失等した取扱媒体Ａの取得者による不正利用の発生を防止することができるようになる。
【００４５】
［第２の実施の形態］
まず、第２の実施の形態の自動取引システムについて図３を用いて説明する。
図３は、第２の実施の形態に係る自動取引システムを説明するための図である。
【００４６】
金融機関における自動取引システム１００には、図３に示すように、複数のＡＴＭ２００（図３ではその内の１台を図示）が備えられ、各ＡＴＭ２００はホストコンピュータ３００と金融系ネットワーク４００を介して接続されている。
【００４７】
また、このようなＡＴＭ２００の前面には、受付画面等を表示する表示部２２０ａと、キャッシュカードが挿入／排出されるカード挿入／排出口４０ａ、通帳が挿入／排出される通帳挿入／排出口５０ａ、硬貨が入出金される硬貨入出金口６０ａ、紙幣が入出金される紙幣入出金口７０ａが設けられている。
【００４８】
さらに、このようなＡＴＭ２００のハードウェア構成について図４を用いて説明する。
図４は、第２の実施の形態に係る自動取引システムのＡＴＭのハードウェア構成を示す図である。
【００４９】
ＡＴＭ２００は、ＡＴＭ２００で実行される処理の制御を行う制御ユニット２１０と、ユーザからの操作入力を受け付け、並びに、受付画面等を表示する表示ユニット２２０を有する。また、キャッシュカードをカード挿入／排出口４０ａから挿入・排出するカード処理ユニット２３０と、通帳を通帳挿入／排出口５０ａから挿入・排出する通帳処理ユニット２４０、硬貨を硬貨入出金口６０ａから入出金する硬貨処理ユニット２５０、紙幣を紙幣入出金口７０ａから入出金する紙幣処理ユニット２６０を有する。
【００５０】
制御ユニット２１０は、ＣＰＵ２１０ａと、ＲＡＭ（Random Access Memory）２１０ｂ、ＨＤＤ（Hard Disk Drive）２１０ｃ、グラフィック処理部２１０ｄ、入出力インタフェース２１０ｅ、ホスト通信制御部２１０ｆを備えており、これらの各部はバス２１０ｇで相互に接続されている。
【００５１】
ＣＰＵ２１０ａは、ＨＤＤ２１０ｃ等の記憶媒体に記憶された各種プログラムを実行することにより、このＡＴＭ２００全体を統括的に制御する。
ＲＡＭ２１０ｂには、ＣＰＵ２１０ａに実行させるＯＳ（Operating System）並びにプログラムの少なくとも一部が一時的に格納される。また、ＲＡＭ２１０ｂには、ＣＰＵ２１０ａによる処理に必要な各種データが格納される。
【００５２】
ＨＤＤ２１０ｃには、ＡＴＭ２００上のＯＳやアプリケーションのプログラムが格納される。また、ＨＤＤ２１０ｃには、ＣＰＵ２１０ａによる処理に必要な各種情報が格納される。
【００５３】
グラフィック処理部２１０ｄには、表示ユニット２２０が接続されている。グラフィック処理部２１０ｄは、ＣＰＵ２１０ａからの命令に従って所定の画面を表示ユニット２２０の表示部２２０ａに表示させる。
【００５４】
入出力インタフェース２１０ｅには、表示ユニット２２０の入力検知部２２０ｂと、カード処理ユニット２３０、通帳処理ユニット２４０、硬貨処理ユニット２５０、紙幣処理ユニット２６０が接続されている。入出力インタフェース２１０ｅは、バス２１０ｇを介してＣＰＵ２１０ａからの制御信号を各ユニットに通知し、各ユニットからの信号を同様にＣＰＵ２１０ａに通知する。
【００５５】
ホスト通信制御部２１０ｆは、ＡＴＭ２００の管理等を行うホストコンピュータ３００と金融系ネットワーク４００を介して通信可能に接続されており、ホストコンピュータ３００と信号の送受信を行う。
【００５６】
続いて、その他の各ユニットについて説明する。
表示ユニット２２０は、表示部２２０ａと入力検知部２２０ｂとを備え、グラフィック処理部２１０ｄと入出力インタフェース２０１ｅにそれぞれ接続されている。
【００５７】
表示部２２０ａは、グラフィック処理部２１０ｄからの画面情報に基づいて画面を表示する。
入力検知部２２０ｂは、表示部２２０ａが表示する画面に対するユーザのタッチを検知する。なお、入力検知部２２０ｂが検知した画面のタッチ位置に表示されている取引内容が制御ユニット２１０のＣＰＵ２１０ａで実行される。
【００５８】
カード処理ユニット２３０は、カード挿入／排出口４０ａからユーザにより挿入されたキャッシュカードに対して情報の読み出し等の処理を実行する。また、カード処理ユニット２３０は、読み出し等の処理が完了したら、キャッシュカードを搬送させてカード挿入／排出口４０ａから排出してユーザに返却する。なお、カード処理ユニット２３０の詳細については後述する。
【００５９】
通帳処理ユニット２４０は、通帳挿入／排出口５０ａからユーザにより挿入された通帳を所定位置まで搬送し、ユーザからの取引実行指示に応じて実行された取引の履歴等を通帳の頁に印字する。また、通帳処理ユニット２４０は、取引履歴等の記録が完了した通帳を搬送して、通帳挿入／排出口５０ａから排出して、ユーザに返却する。
【００６０】
硬貨処理ユニット２５０及び紙幣処理ユニット２６０は、ＡＴＭ２００で実行した取引に応じて、当該取引の形式に基づく金額に対応する硬貨及び紙幣の入金または出金を硬貨入出金口６０ａ及び紙幣入出金口７０ａに対して実行する。
【００６１】
次に、カード処理ユニット２３０の構成例について図５を用いて説明する。
図５は、第２の実施の形態に係る自動取引システムのＡＴＭが備えるカード処理ユニットの構成例を示す図である。
【００６２】
なお、図５（Ａ）はカード処理ユニット２３０の側面図を、図５（Ｂ）はカード処理ユニット２３０の上面図をそれぞれ示している。
カード処理ユニット２３０は、キャッシュカードまたはクレジット機能一体型ＩＣキャッシュカード等の取引カードＤを受け付けて、それぞれのカードに対して読み出し・書き込み等の処理を行うことができる。
【００６３】
このようなカード処理ユニット２３０は、図５に示すように、カード挿入／排出口４０ａから受け付けた取引カードＤを所定の位置まで搬送路２３０ｂ上を搬送させる搬送ローラ２３０ｄが設けられている。また、搬送路２３０ｂ上を搬送させられる取引カードＤの磁気ストライプに対して読み出し等の処理を行う磁気リーダライタ（図示を省略）をそれぞれ内蔵する。
【００６４】
さらに、搬送路２３０ｂ上を搬送させられる取引カードＤの主面と当該主面の反対側の主面との画像をそれぞれ撮像する撮像装置２３０ｃが内蔵されている。
このようにしてカード処理ユニット２３０に内蔵されている各構成は、制御ユニット２１０のＣＰＵ２１０ａからの制御信号に基づき、動作が制御される。
【００６５】
次に、ＡＴＭ２００が接続されているホストコンピュータ３００のハードウェア構成について図６を用いて説明する。
図６は、第２の実施の形態に係る自動取引システムのホストコンピュータのハードウェア構成を示す図である。
【００６６】
ホストコンピュータ３００は、ＣＰＵ３１０ａと、ＲＡＭ３１０ｂ、ＨＤＤ３１０ｃ、例えば、モニタ等の表示部５００ｉが接続されたグラフィック処理部３１０ｄ、キーボード、マウス等の入力部５００ｊが接続された入出力インタフェース３１０ｅ、通信制御部３１０ｆをそれぞれ備えている。これらの各部はバス３１０ｇで相互にそれぞれ接続されている。
【００６７】
なお、通信制御部３１０ｆは金融系ネットワーク４００を介してそれぞれＡＴＭ２００のホスト通信制御部２１０ｆと通信を実行する。
次に、このような構成を有する自動取引システム１００のＡＴＭ２００及びホストコンピュータ３００が備える機能について図７を用いて説明する。
【００６８】
図７は、第２の実施の形態に係る自動取引システムのＡＴＭ及びホストコンピュータが備える機能を示すブロック図である。
また、図８は、第２の実施の形態に係る自動取引システムのホストコンピュータが備えるデザイン情報保持部の一例を示す図である。
【００６９】
自動取引システム１００のＡＴＭ２００で実行される処理の制御を行う制御ユニット２１０は、図７に示すように、カード処理制御部２１１と、入力情報受付部２１２、表示処理部２１３、イメージ情報取得部２１４（画像取得部）、カードＩＤ情報取得部２１５（識別情報取得部）、メモ書き認識処理部２１６（認識処理部）、暗証番号取得部２１７（暗証番号受付部）、通信部２１８を備える。
【００７０】
カード処理制御部２１１は、カード処理ユニット２３０の動作を制御する。カード処理制御部２１１は、例えば、図５に示したように、カード処理ユニット２３０に内蔵されている搬送ローラ２３０ｄを制御して、カード処理ユニット２３０が受け付けた取引カードＤを所定位置に搬送し、または、外部に排出する。また、カード処理制御部２１１は、このようにして搬送する取引カードＤの主面を撮像装置２３０ｃに撮像させる。
【００７１】
入力情報受付部２１２は、入力検知部２２０ｂに入力された情報を受け付ける。例えば、入力情報受付部２１２は、入力検知部２２０ｂを介して、引き出し、振り込み等の取引処理の開始、暗証番号、口座番号等の入力を受け付ける。
【００７２】
表示処理部２１３は、表示部２２０ａに任意の画像を表示させる。
イメージ情報取得部２１４は、カード処理制御部２１１の制御によりカード処理ユニット２３０の撮像装置２３０ｃが撮像した取引カードＤの主面のイメージ情報を取得する。
【００７３】
カードＩＤ情報取得部２１５は、カード処理制御部２１１の制御によりカード処理ユニット２３０の磁気リーダライタが取引カードＤの磁気ストライプから読み取った、取引カードＤごとに対応付けられているカードＩＤ情報を取得する。
【００７４】
メモ書き認識処理部２１６は、イメージ情報取得部２１４が取得した取引カードＤのイメージ情報と、取引カードＤの主面の規定のデザインを表すデザイン情報とに基づき、取引カードＤに記載されたメモ書きを認識する。メモ書き認識処理部２１６は、例えば、イメージ情報取得部２１４が取得した取引カードＤのイメージ情報と、取引カードＤの主面の規定のデザインを表すデザイン情報との差分を取得して、取得した差分情報に基づき、取引カードＤの主面に記載されているメモ書きを認識することができる。
【００７５】
暗証番号取得部２１７は、ユーザにより入力検知部２２０ｂに操作入力されて、入力情報受付部２１２が受け付けた暗証番号を取得する。
通信部２１８は、ホストコンピュータ３００に対して情報の送受信を行う。
【００７６】
一方、自動取引システム１００のホストコンピュータ３００で実行される処理の制御を行う制御ユニット３１０は、デザイン情報保持部３１１と、通信部３１２、デザイン情報照会部３１３、暗証番号認証部３１４、メモ書き判定部３１５（記載事項判定部）、出力要求部３１６を備える。
【００７７】
デザイン情報保持部３１１は、例えば、図８に示すように、取引カードＤのデザインのテンプレートであるデザイン情報がそれぞれ対応付けられて、カードＩＤを保持する。例えば、カードＩＤが「Ｂ」の取引カードＤに対して、デザイン情報が「ｂ」のデザインテンプレートが対応付けられている。
【００７８】
通信部３１２は、ＡＴＭ２００に対して情報の送受信を行う。
デザイン情報照会部３１３は、ＡＴＭ２００からカードＩＤ情報を受信すると、デザイン情報保持部３１１を参照してカードＩＤ情報が示すカードＩＤに対応するデザイン情報を照会する。デザイン情報照会部３１３は、照会したデザイン情報をＡＴＭ２００に通知して、メモ書き認識処理部２１６に取引カードＤに加筆されているメモ書き（記載事項）を認識させる。
【００７９】
暗証番号認証部３１４は、ＡＴＭ２００から受信した暗証番号に基づき、当該暗証番号に対応付けられている取引カードＤの認証を行う。
メモ書き判定部３１５は、暗証番号認証部３１４が取引カードＤを適切に認証すると、ＡＴＭ２００から受信したメモ書きと暗証番号との合致を判定する。メモ書き判定部３１５は、メモ書きと暗証番号とが合致していることを判定した場合（取引カードＤに暗証番号が加筆されている）には、出力要求部３１６が処理を実行する。一方、メモ書きと暗証番号とが合致していないことを判定した場合には、ＡＴＭ２００に対して、通信部３１２から、引き続き取引処理の継続要求を送信させる。
【００８０】
出力要求部３１６は、メモ書き判定部３１５がメモ書きと暗証番号とが合致することを判定すると、ＡＴＭ２００の表示処理部２１３に取引カードＤの利用中止案内の出力要求を通知する。
【００８１】
次に、このような構成及び機能を備えるＡＴＭ２００及びホストコンピュータ３００を有する自動取引システム１００における、取引カード判別処理について図９及び図１０を用いて説明する。
【００８２】
図９は、第２の実施の形態に係る自動取引システムで実行される取引カード判別処理を示すフローチャートである。
また、図１０は、第２の実施の形態に係る自動取引システムのＡＴＭが表示する取引カードの利用中止案内の表示例を示す図である。
【００８３】
［ステップＳ１１０］  カード処理ユニット２３０は、取引カードＤの受け付けを待ち受ける。カード処理制御部２１１がカード処理ユニット２３０に取引カードＤが受け付けられたことを検知すると、次のステップＳ１２０の処理が実行される。
【００８４】
［ステップＳ１２０］  カード処理制御部２１１は、カード処理ユニット２３０の撮像装置２３０ｃ（図５を参照）により取引カードＤの主面のイメージを撮像させて、イメージ情報取得部２１４が、撮像されたイメージ情報を取得する。また、カード処理制御部２１１は、カード処理ユニット２３０の磁気リーダライタ（図示を省略）を動作させて、取引カードＤの磁気ストライプから取引カードＤのカードＩＤを読み取らせて、カードＩＤ情報取得部２１５が、読み取られたカードＩＤ情報を取得する。
【００８５】
［ステップＳ２１０］  デザイン情報照会部３１３は、ＡＴＭ２００からの照会要求に応じて、デザイン情報保持部３１１を参照して、ＡＴＭ２００から受信した取引カードＤのカードＩＤに対応するデザイン情報を照会して、照会したデザイン情報をＡＴＭ２００に送信する。
【００８６】
［ステップＳ１３０］  メモ書き認識処理部２１６は、ホストコンピュータ３００からカードＩＤに対応するデザイン情報を受信して、受信したデザイン情報と、ステップＳ１２０で取得したイメージ情報とに基づき、取引カードＤに記載されたメモ書きを認識する。なお、ステップＳ１３０，Ｓ２１０における処理の詳細については後述する。
【００８７】
［ステップＳ１４０］  暗証番号取得部２１７は、ユーザによる入力検知部２２０ｂに対する暗証番号の操作入力の受け付けを待ち受ける。暗証番号取得部２１７が入力検知部２２０ｂに受け付けた暗証番号を取得すると、次のステップＳ１５０の処理が実行される。
【００８８】
［ステップＳ１５０］  メモ書き認識処理部２１６及び暗証番号取得部２１７は、ホストコンピュータ３００に対して、ステップＳ１３０で認識したメモ書き及びステップＳ１４０で受け付けた暗証番号を通信部２１８に送信させる。
【００８９】
［ステップＳ２２０］  ホストコンピュータ３００では、ＡＴＭ２００からメモ書き及び暗証番号の受信を待ち受ける。ホストコンピュータ３００は、メモ書き及び暗証番号を受信すると、次のステップＳ２３０の処理が実行される。
【００９０】
［ステップＳ２３０］  暗証番号認証部３１４がＡＴＭ２００から受信した暗証番号に基づき、当該暗証番号に対応付けられている取引カードＤの認証を行う。
暗証番号に対応付けられている取引カードＤが適切に認証されなかった場合には、次のステップＳ２４０の処理が実行され、適切に認証された場合には、次のステップＳ２５０が実行される。
【００９１】
［ステップＳ２４０］  暗証番号認証部３１４は、ＡＴＭ２００に対して、暗証番号が誤入力されている旨の表示要求を通信部３１２に送信させる。
［ステップＳ１６０］  表示処理部２１３は、通信部２１８を介して受信した表示要求に基づき、表示部２２０ａに暗証番号が誤入力されている旨を表示させる。
【００９２】
［ステップＳ１９０］  カード処理制御部２１１は、カード処理ユニット２３０の搬送ローラ２３０ｄ（図５を参照）を駆動させて、取引カードＤをカード挿入／排出口４０ａから排出させて、ユーザに返却する。
【００９３】
［ステップＳ２５０］  メモ書き判定部３１５が、ＡＴＭ２００から受信したメモ書きと暗証番号とが合致するか否かを判定する。
メモ書きと暗証番号とが合致しない場合には、次のステップＳ２６０の処理が実行され、合致する場合には、次のステップＳ２７０の処理が実行される。
【００９４】
［ステップＳ２６０］  メモ書き判定部３１５は、ＡＴＭ２００に対して、取引処理の継続要求を通信部３１２に送信させる。
［ステップＳ１７０］  ＡＴＭ２００は、通信部２１８がホストコンピュータ３００から取引処理の継続要求を受信すると、ユーザから取引処理の実行を受け付けて、ユーザが実行したい取引処理を実行する。
【００９５】
［ステップＳ２７０］  出力要求部３１６は、メモ書きと暗証番号とが合致する場合に、ＡＴＭ２００に対して、ＡＴＭ２００の表示処理部２１３に取引カードＤの利用中止案内の表示要求を通信部３１２に送信させる。
【００９６】
［ステップＳ１８０］  表示処理部２１３は、通信部２１８を介して受信した表示要求に基づき、例えば、図１０に示すように、表示部２２０ａに取引カードＤでの利用中止案内を表示させる。
【００９７】
その後、ＡＴＭ２００は、ステップＳ１９０の処理を行う。
次いで、上記図９における、ＡＴＭ２００によるステップＳ１３０の処理、ホストコンピュータ３００によるステップＳ２１０の処理について図１１を用いて説明する。
【００９８】
図１１は、第２の実施の形態に係る自動取引システムのＡＴＭで実行されるメモ書き認識処理及びホストコンピュータで実行される照会処理を示すフローチャートである。
［ステップＳ１３１］  カードＩＤ情報取得部２１５は、ホストコンピュータ３００に対して、ステップＳ１２０で取得した取引カードＤのカードＩＤ情報と共にデザイン情報照会要求を通信部２１８に送信させる。
【００９９】
［ステップＳ２１１］  デザイン情報照会部３１３は、デザイン情報保持部３１１を参照して、ステップＳ１３１にてＡＴＭ２００から受信したカードＩＤに対応するデザイン情報を照会する。
【０１００】
［ステップＳ２１２］  デザイン情報照会部３１３は、ＡＴＭ２００に対して、照会したデザイン情報を通信部３１２から送信させる。
なお、ホストコンピュータ３００は、ステップＳ２１２の後はステップＳ２２０以降の処理を行う。
【０１０１】
［ステップＳ１３２］  メモ書き認識処理部２１６は、ホストコンピュータ３００から受信したデザイン情報と、イメージ情報取得部２１４が取得した取引カードＤの主面のイメージ情報との差分情報を取得する。
【０１０２】
［ステップＳ１３３］  メモ書き認識処理部２１６は、差分情報に基づき取引カードＤに記載されたメモ書きを認識する。
なお、ＡＴＭ２００は、ステップＳ１３３の後はステップＳ１４０以降の処理を行う。
【０１０３】
このように自動取引システム１００では、ＡＴＭ２００は、取引処理にて取り扱われる取引カードＤを受け付けて、取引カードＤの主面のイメージを取得し、取引カードＤに対応付けられた暗証番号を受け付けて、取引カードＤの主面の規定のデザインを表すデザイン情報と取得した取引カードＤのイメージとに基づき、取引カードＤの主面に加筆されたメモ書きを認識するようにした。また、ホストコンピュータ３００は、暗証番号と取引カードＤのメモ書きとをＡＴＭ２００から受信して、暗証番号に基づき取引カードＤを適切に認証すると、暗証番号とメモ書きとの合致を判定するようにした。さらに、ホストコンピュータ３００は、判定結果に応じて、ＡＴＭ２００に取引カードＤの利用中止案内を出力させて、取引処理を終了させるようにした。
【０１０４】
このような自動取引システム１００による取引カード判別方法により、暗証番号を加筆した取引カードＤの利用を中止させることで、紛失等した取引カードＤの取得者による不正利用の発生を防止することができるようになる。
【０１０５】
また、このような自動取引システム１００では、ＡＴＭ２００によりメモ書き認識処理を行うようにしているために、ホストコンピュータ３００での処理負担を軽減することができる。
【０１０６】
また、第２の実施の形態では、取扱媒体の一例として、取引カードの場合を例に挙げて説明したが、取扱媒体としては、取引カードに限らず、通帳等の冊子媒体でも、通帳処理ユニット２４０に撮像装置を新たに内蔵させることで、同様に判別することができる。
【０１０７】
［第３の実施の形態］
第３の実施の形態では、第１の実施の形態（図２）をより具体的に説明する。即ち、メモ書き認識処理をホストコンピュータで行う場合を例に挙げて説明する。なお、以下では、第２の実施の形態で説明した構成並びに処理のステップ番号と同様のものには、それらと同様の符号並びにステップ番号を付している。
【０１０８】
まず、第３の実施の形態の自動取引システムについて図１２を用いて説明する。
図１２は、第３の実施の形態に係る自動取引システムのＡＴＭ及びホストコンピュータが備える機能を示すブロック図である。
【０１０９】
自動取引システム１００ａは、図１２に示すように、相互に通信可能に接続されたＡＴＭ２００ａとホストコンピュータ３００ａとを備え、さらに、ＡＴＭ２００ａは制御ユニット１２１０を、ホストコンピュータ３００ａは制御ユニット１３１０を備える。但し、自動取引システム１００ａでは、図７における取引カードＤに対するメモ書き認識処理を行う機能が、ＡＴＭ２００ａの制御ユニット１２１０ではなく、ホストコンピュータ３００ａの制御ユニット１３１０にメモ書き認識処理部３１７として備えられている。
【０１１０】
メモ書き認識処理部３１７は、取引カードＤの主面のイメージ情報をＡＴＭ２００ａから受信して、取引カードＤの主面のイメージ情報と取引カードＤの主面の規定のデザインを表すデザイン情報とに基づき、取引カードＤの主面に加筆されたメモ書きを認識する。デザイン情報は、デザイン情報照会部３１３により照会されたものである。また、メモ書き認識処理部３１７は、このようなメモ書き認識処理が完了すると、ＡＴＭ２００ａに対して、メモ書き認識完了通知を通信部３１２に送信させる。
【０１１１】
なお、ＡＴＭ２００ａでは、通信部２１８がこのようなメモ書き認識完了通知を受信すると、入力検知部２２０ｂがユーザから受け付けた暗証番号を暗証番号取得部２１７が取得する。
【０１１２】
次に、このような構成を有する自動取引システム１００ａにおける取引カード判別方法について、図１３を用いて説明する。
図１３は、第３の実施の形態に係る自動取引システムで実行される取引カード判別処理を示すフローチャートである。
【０１１３】
［ステップＳ１１０，Ｓ１２０］  カード処理ユニット２３０が、第２の実施の形態と同様に、取引カードＤの受け付けを待ち受ける。
カード処理制御部２１１は、カード処理ユニット２３０が取引カードＤの受け付けると、カード処理ユニット２３０の撮像装置２３０ｃ（図５を参照）に、受け付けた取引カードＤの主面のイメージを撮像させて、カード処理ユニット２３０の磁気リーダライタに取引カードＤの磁気ストライプからカードＩＤを読み取らせる。
【０１１４】
イメージ情報取得部２１４は、このようにして撮像された取引カードＤの主面のイメージ情報を取得し、カードＩＤ情報取得部２１５は、このようにして読み取られた取引カードＩＤのカードＩＤ情報を取得する。
【０１１５】
［ステップＳ１１１０］  イメージ情報取得部２１４及びカードＩＤ情報取得部２１５は、ホストコンピュータ３００ａに対して、取得したイメージ情報及びカードＩＤ情報を通信部２１８から送信させる。
【０１１６】
［ステップＳ１２１０］  通信部３１２が、ＡＴＭ２００ａからイメージ情報及びカードＩＤ情報を受信する。デザイン情報照会部３１３は、デザイン情報保持部３１１を参照して、ＡＴＭ２００ａから受信した取引カードＤのカードＩＤに対応するデザイン情報を照会する。
【０１１７】
［ステップＳ１２２０］  メモ書き判定部３１５は、ＡＴＭ２００ａから受信した取引カードＤの主面のイメージ情報と、デザイン情報照会部３１３が照会したデザイン情報とに基づき、取引カードＤの主面に記載されたメモ書きを認識する。
【０１１８】
メモ書き判定部３１５は、メモ書きの認識が完了すると、ＡＴＭ２００ａに対して、通信部３１２にメモ書き完了通知を送信させる。
［ステップＳ１４０］  通信部２１８がホストコンピュータ３００ａからメモ書き認識完了通知を受信すると、入力情報受付部２１２が入力検知部２２０ｂに対する暗証番号の受け付けを待ち受ける。
【０１１９】
入力情報受付部２１２が入力検知部２２０ｂに対する暗証番号を受け付けて、暗証番号取得部２１７が当該暗証番号を取得すると、次のステップＳ１１２０の処理が実行される。
【０１２０】
［ステップＳ１１２０］  暗証番号取得部２１７は、ホストコンピュータ３００ａに対して、ステップＳ１４０で取得した暗証番号を通信部２１８に送信させる。
［ステップＳ１２３０］  ホストコンピュータ３００ａでは、ＡＴＭ２００ａから暗証番号の受信を待ち受ける。ホストコンピュータ３００ａは、暗証番号を受信すると、次のステップＳ２３０の処理を実行する。
【０１２１】
ステップＳ１６０及びステップＳ２４０以降のＡＴＭ２００ａ及びホストコンピュータ３００ａで実行される処理は、第２の実施の形態のステップＳ１６０及びステップＳ２４０以降の処理が同様に実行される。
【０１２２】
次いで、上記図１３における、ホストコンピュータ３００ａによるステップＳ１２２０の処理について図１４を用いて説明する。
図１４は、第３の実施の形態に係る自動取引システムのホストコンピュータで実行されるメモ書き認識処理を示すフローチャートである。
【０１２３】
［ステップＳ１２２１］  メモ書き認識処理部３１７は、デザイン情報照会部３１３が照会したデザイン情報と、ＡＴＭ２００ａから受信した取引カードＤの主面のイメージ情報との差分情報を取得する。
【０１２４】
［ステップＳ１２２２］  メモ書き認識処理部３１７は、取得した差分情報に基づき、取引カードＤに記載されているメモ書きを認識する。
［ステップＳ１２２３］  メモ書き認識処理部３１７は、ＡＴＭ２００ａに対して、メモ書き認証完了通知を通信部３１２に送信させる。
【０１２５】
ＡＴＭ２００ａでは、このような通知を受信すると、上記図１３のステップＳ１４０以降の処理が実行されるのに伴い、ホストコンピュータ３００ａで上記図１３のステップＳ１２３０以降の処理が実行される。
【０１２６】
このように自動取引システム１００ａでは、ＡＴＭ２００ａは、取引処理にて取り扱われる取引カードＤを受け付けて、取引カードＤの主面のイメージを取得し、取引カードＤに対応付けられた暗証番号を受け付けるようにした。また、ホストコンピュータ３００ａは、取引カードＤの主面のイメージをＡＴＭ２００ａから受信して、取引カードＤの主面のイメージと取引カードＤの主面の規定のデザインを表すデザイン情報とに基づき、取引カードＤの主面に加筆されたメモ書きを認識して、暗証番号をＡＴＭ２００ａから受信して、暗証番号に基づき取引カードＤを適切に認証して、暗証番号とメモ書きとの合致を判定するようにした。さらに、ホストコンピュータ３００ａは、判定結果に応じて、ＡＴＭ２００ａに取引カードＤの利用中止案内を出力させて、取引処理を終了させるようにした。
【０１２７】
このような自動取引システム１００ａによる取引カード媒体判別方法により、暗証番号を加筆した取引カードＤの利用を中止させることで、紛失した取引カードＤの取得者による不正利用の発生を防止することができるようになる。
【０１２８】
また、第３の実施の形態でも、取扱媒体の一例として、取引カードの場合を例に挙げて説明したが、取扱媒体としては、取引カードに限らず、通帳等の冊子媒体でも、通帳処理ユニットに撮像装置を新たに内蔵させることで、同様に判別することができる。
【０１２９】
なお、上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１３０】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリなどがある。磁気記録装置には、ＨＤＤ、フレキシブルディスク（ＦＤ）、磁気テープ（ＭＴ）などがある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）などがある。光磁気記録媒体には、ＭＯ（Magneto - Optical disk）などがある。半導体メモリには、ＵＳＢ（Universal Serial Bus）メモリなどのフラッシュメモリがある。
【０１３１】
上記プログラムを流通させる場合には、例えば、そのプログラムが記録されたＤＶＤ、ＣＤ−ＲＯＭなどの可搬型記録媒体が販売される。また、プログラムをサーバコンピュータに格納しておき、ネットワークを介して、サーバコンピュータから他のコンピュータにそのプログラムを転送することもできる。
【０１３２】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１３３】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現してもよい。
【０１３４】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１３５】
１０  取扱媒体判別システム
２０  自動取引装置
２１  画像取得部
２２  暗証番号受付部
２３  認識処理部
２４  案内出力部
２５  識別情報取得部
２６，３１  通信部
３０  情報処理装置
３２  記載事項判定部
３３  出力要求部
３４  デザイン情報保持部
３５  デザイン情報照会部
【図１】
2014109820.tif 000003
【図２】
2014109820.tif 000004
【図３】
2014109820.tif 000005
【図４】
2014109820.tif 000006
【図５】
2014109820.tif 000007
【図６】
2014109820.tif 000008
【図７】
2014109820.tif 000009
【図８】
2014109820.tif 000010
【図９】
2014109820.tif 000011
【図１０】
2014109820.tif 000012
【図１１】
2014109820.tif 000013
【図１２】
2014109820.tif 000014
【図１３】
2014109820.tif 000015
【図１４】
2014109820.tif 000016